(57)【要約】【課題】  組立、解体が容易な水槽を提供する。【解決手段】  板状の本体４と該本体４の両縁部に立設される一対の板状のリブ５とからなる複数の部材３を、前記リブ５が外周側に配置されるように環状に並設して、隣接する部材３、３のリブ５、５間を連結手段７によって一体に連結することにより筒状に形成した槽本体２と、該槽本体２の外周に取り付けられて、該槽本体２を縮径する方向に締め付ける締付手段１１とを備えてなる。【選択図】  図１
2009072153.tif 000002
【特許請求の範囲】
【請求項１】
板状の本体と該本体の両縁部に立設される一対の板状のリブとからなる複数の部材を、前記リブが外周側に配置されるように環状に並設して、隣接する部材のリブ間を連結手段によって一体に連結することにより筒状に形成した槽本体と、該槽本体の外周に取り付けられて、該槽本体を縮径する方向に締め付ける締付手段とを備えてなることを特徴とする水槽。
【請求項２】
前記連結手段は、隣接する部材のリブ間を貫通するボルトと、該ボルトに螺着されるナットとからなることを特徴とする請求項１に記載の水槽。
【請求項３】
隣接する部材のリブ間にはシーリング材が介装されていることを特徴とする請求項１又は２に記載の水槽。
【請求項４】
前記締付手段は、前記槽本体の外周に巻き付けられて前記槽本体を縮径する方向に締め付ける締付バンドと、該締付バンドの両端部間を連結する固定具とからなることを特徴とする請求項１から３の何れかに記載の水槽。
【請求項５】
前記槽本体は、基盤の上部に固定手段によって垂直に立設されていることを特徴とする請求項１から４の何れかに記載の水槽。
【請求項６】
基盤の上部に板状の本体と該本体の両縁部に立設される一対の板状のリブとからなる複数の部材を、前記リブが外周側に配置されるように環状に並設し、隣接する部材のリブ間を連結手段によって一体に連結することにより筒状の槽本体を形成する工程と、
前記槽本体の外周に締付手段を取り付けて、該締付手段により前記槽本体を縮径する方向に締め付ける工程とを備えていることを特徴とする水槽の構築方法。
【発明の詳細な説明】
【技術分野】
【０００１】
本発明は、水槽及び水槽の構築方法に関し、特に、魚の養殖用の水槽、集合住宅用の受水槽、防火水槽、緊急備蓄用の水槽、臨時のプール等の各種の水槽に適用可能な水槽及び水槽の構築方法に関する。
【背景技術】
【０００２】
液体を収容するために使用される水槽には各種のタイプのものあり、例えば、金属、合成樹脂等からなる四角形板状の面材を複数枚繋ぎ合せて円筒状又は角筒状の槽本体を構築し、この槽本体をコンクリート製の基盤の上部に垂直に立設し、槽本体の底部に防水処理を施すことで、槽本体の内部に所定量の液体を収容可能に構成した水槽が知られている。
【０００３】
このような構成の水槽のうち、円筒状の槽本体を備えた水槽は、耐水圧性に優れた特性を有するため、ほとんど補強を施す必要はないが、角筒状の槽本体を備えた水槽は、円筒状の槽本体を備えた水槽に比べて耐水圧性が劣るため、槽本体に格子状に骨組みを入れる等の補強を施し、槽本体が水圧によって変形するのを防止する必要がある。
【０００４】
一方、特許文献１には、下端が閉塞された角筒状の槽本体を備えた水槽の一例が記載されている。この水槽は、槽本体を複数のブロックに分割し、隣接するブロックの結合部間をシール部材を介してボルト・ナットにより連結することで、下端が閉塞された角筒状に形成したものである。
【０００５】
このような構成の水槽にあっては、槽本体の隣接するブロック間の複数箇所をボルト・ナットによって強固に連結しているため、隣接するブロック間に骨組みを入れることなく所望の耐水圧性が得られる。また、槽本体を複数のブロックに分解しているので、設置場所への搬入、搬出作業を容易に行うことができる。
【特許文献１】特開平２−３０３４３５号公報
【発明の開示】
【発明が解決しようとする課題】
【０００６】
しかし、所望の耐水圧性を得るために、隣接するブロックの間のボルト・ナットによる連結箇所を多くとらなければならないために、ボルト・ナットの着脱に非常に手間がかかり、槽本体の組立、分解に手間がかかり、水槽の設置、撤去に非常に手間がかかることになる。
【０００７】
本発明は、上記のような従来の問題に鑑みなされたものであって、特別な補強を施すことなく所望の耐水圧性が得られるとともに、設置場所への設置、撤去作業を容易に行うことができる水槽及び水槽の構築方法を提供することを目的とする。
【課題を解決するための手段】
【０００８】
上記のような課題を解決するために、本発明は、以下のような手段を採用している。
すなわち、請求項１に係る発明は、板状の本体と該本体の両縁部に立設される一対の板状のリブとからなる複数の部材を、前記リブが外周側に配置されるように環状に並設して、隣接する部材のリブ間を連結手段によって一体に連結することにより筒状に形成した槽本体と、該槽本体の外周に取り付けられて、該槽本体を縮径する方向に締め付ける締付手段とを備えてなることを特徴とする。
【０００９】
本発明による水槽によれば、複数の部材を環状に並設して、隣接する部材のリブ間を連結手段によって連結することで筒状の槽本体を形成し、この槽本体の外周に締付手段を取り付け、締付手段によって槽本体を縮径する方向に締め付けることで水槽を構築することができるので、水槽の設置場所への設置、撤去作業を容易に行うことができる。また、槽本体を分解、組立可能に構成しているので、設置場所への搬入、搬出作業を容易に行うことができる。さらに、槽本体の各部材は、板状の本体と本体の両縁部に立設される一対のリブとから構成され、リブが外周側に配置されるように環状に並設されているので、骨組み等によって補強を施すことなく所望の耐水圧性が得られることになる。
【００１０】
請求項２に係る発明は、請求項１に記載の水槽であって、前記連結手段は、隣接する部材のリブ間を貫通するボルトと、該ボルトに螺着されるナットとからなることを特徴とする。
【００１１】
本発明による水槽によれば、隣接する部材のリブ間にボルトを貫通させ、このボルトにナットを螺合させて締め付けることで、隣接する部材のリブ間が連結されることになるので、槽本体の分解、組立を容易に行うことができる。
【００１２】
請求項３に係る発明は、請求項１又は２に記載の水槽であって、隣接する部材のリブ間にはシーリング材が介装されていることを特徴とする。
【００１３】
本発明による水槽によれば、槽本体の隣接する部材のリブ間は、それらの間に介装されているシーリング材によってシールされることになるので、槽本体の隣接する部材からの液体の漏れを防止することができる。
【００１４】
請求項４に係る発明は、請求項１から３の何れかに記載の水槽であって、前記締付手段は、前記槽本体の外周に巻き付けられて前記槽本体を縮径する方向に締め付ける締付バンドと、該締付バンドの両端部間を連結する固定具とからなることを特徴とする。
【００１５】
本発明による水槽によれば、締付手段の締付バンドと固定具との協働により、槽本体が縮径する方向に締め付けられ、槽本体の耐水圧性が高められることになる。
【００１６】
請求項５に係る発明は、請求項１から４の何れかに記載の水槽であって、前記槽本体は、基盤の上部に固定手段によって垂直に立設されていることを特徴とする。
【００１７】
本発明による水槽によれば、筒状の槽本体は、基盤の上部に固定手段によって垂直に立設され、この槽本体の内部に所定量の液体が収容されることになる。
【００１８】
請求項６に係る発明は、基盤の上部に板状の本体と該本体の両縁部に立設される一対の板状のリブとからなる複数の部材を、前記リブが外周側に配置されるように環状に並設し、隣接する部材のリブ間を連結手段によって一体に連結することにより筒状の槽本体を形成する工程と、前記槽本体の外周に締付手段を取り付けて、該締付手段により前記槽本体を縮径する方向に締め付ける工程とを備えていることを特徴とする。
【００１９】
本発明による水槽の構築方法によれば、基盤の上部に複数の部材を、リブが外周側に配置されるように環状に並設し、隣接する部材のリブ間を連結手段によって連結することで基盤の上部に筒状の槽本体が構築される。そして、槽本体の外周に締付手段を取り付け、締付手段によって槽本体を縮径する方向に締め付けることで、槽本体の耐水圧性が高められることになる。
【発明の効果】
【００２０】
以上、説明したように、本発明の水槽及び水槽の構築方法によれば、槽本体を複数の部材によって構成して、分解、組立可能に構成しているので、水槽の設置場所への搬入、設置場所からの搬出作業、設置場所への設置、撤去作業を容易に行うことができる。
また、複数の部材をリブが外周側に配置されるように並設し、隣接する部材のリブ間を連結手段によって連結した上で、槽本体の外周に締付手段を取り付けているので、特別な補強を施すことなく、所望の耐水圧性が得られることになる。さらに、槽本体の内側に収容される液体の水圧によって隣接する部材のリブ同士を強く圧接させることができるので、隣接する部材のリブ間を水密にシールすることができ、槽本体からの液体の漏れを確実に防止することができる。
【発明を実施するための最良の形態】
【００２１】
以下、図面を参照しながら本発明の実施の形態について説明する。
図１〜図３には、本発明による水槽の一実施の形態が示されていて、図１は水槽の全体を示す斜視図、図２は図１の部材の斜視図、図３は図１の隣接する部材間の連結状態を示す説明図である。
【００２２】
すなわち、本実施の形態の水槽１は、例えば、魚の養殖用の水槽、集合住宅用の受水槽、防火水槽、緊急備蓄用の水槽、臨時のプール等の各種の用途に適用可能なものであって、円筒状の槽本体２と、槽本体２の外周側に設けられる締付手段１１とを備えている。
【００２３】
槽本体２は、例えば、コンクリート製の基盤２０の上部に複数の部材３を環状に並設して、各部材３をアンカーボルトによって基盤２０に固定した上で、隣接する部材３、３間を連結手段７によって一体に連結することで基盤２０の上部に垂直に立設したものであって、この槽本体２の内部に淡水、海水等の液体が所定量収容される。
【００２４】
この場合、基盤２０の上部に環状の溝を設け、この溝内に各部材３の下端部を挿入した状態で溝内にコンクリートを打設することにより、各部材３を基盤２０の上部に垂直に立設し、基盤２０の上部に円筒状の槽本体２を垂直に立設するように構成してもよい。
【００２５】
槽本体２の底部には防水処理が施され、この防水処理によって槽本体２の底部が水密にシールされ、槽本体２の内部に収容した液体が槽本体２の底部から外部に漏れ出るのが防止される。防水処理としては、例えば、防水シートを槽本体２の底部に敷設し、防水シートの縁部を槽本体２の内面に沿って立ち上げる等の方法が挙げられる。この場合、防水シートは、槽本体２の内部に収容される液体の水圧によって槽本体２の内面及び基盤２０の上面に強く押し付けられることになるので、槽本体２の底部が確実にシールされることになる。
【００２６】
部材３は、図２に示すように、ＦＲＰ（強化繊維プラスチック）等の合成樹脂からなる長方形板状の本体４と、本体４の両縁部に垂直に一体に立設される本体４と同一材質の長方形板状の一対のリブ５、５とからなるものであって、本体４と一対のリブ５、５とは、周知のプラスチック成形法によって一体に形成されている。
【００２７】
各部材３の各リブ５には、ねじ挿通用の孔６が複数箇所に設けられ、このねじ挿通用の孔６を利用することにより、槽本体２の隣接する部材３、３のリブ５、５間が後述する連結手段７によって一体に連結される。
【００２８】
各部材３の各リブ５は、全体を均一の厚みに形成してもよいし、先端部を他の部分よりも厚く形成してもよい。各リブ５の先端部を厚く形成することにより、各リブ５の先端部の強度を高めることができる。
【００２９】
連結手段７は、図３に示すように、槽本体２の隣接する一方の部材３のリブ５のねじ挿通用の孔６と他方の部材３のリブ５のねじ挿通用の孔６との間を挿通するボルト８と、ねじ挿通用の孔６から突出したボルト８のねじ部に螺着されるナット９とから構成され、ナット９を所定のトルクで締め付けることで隣接する部材３、３のリブ５、５間が一体に連結される。
なお、連結手段７は、上記のようなボルト８とナット９との組み合わせに限らず、隣接する部材３、３のリブ５、５間を一体に連結する機能を有するものであればよい。
【００３０】
締付手段１１は、図１に示すように、槽本体２の外周に巻き付けられる金属製又は合成樹脂製の帯状の締付バンド１２と、締付バンド１２の両端部間を連結する固定具１３とからなり、締付バンド１２を槽本体２の外周に締め付けた状態で、締付バンド１２の両端部間を固定具１３で一体に連結することで締付手段１１が槽本体２の外周に取り付けられる。
【００３１】
締付手段１１を槽本体２の外周に取り付けることにより、槽本体２が縮径する方向に締め付けられ、槽本体２の隣接する部材３、３のリブ５、５間が強く圧接され、リブ５、５間が水密にシールされる。この場合、隣接する部材３、３のリブ５、５間にシーリング材を介装させて、隣接する部材３、３のリブ５、５間の水密性を更に高めてもよい。シーリング材としては市販の各種のシーリング材を用いることができる。
【００３２】
本実施の形態においては、締付手段１１を槽本体２の外周の４箇所（下端部、上端部、及び中央部）に設けているが、締付手段１１を設ける箇所は、槽本体２の内部に収容する液体の水圧によって適宜に設定することができる。
【００３３】
次に、上記のように構成した本実施の形態の水槽の構築方法について説明する。
まず、図１に示すように、水槽１の設置場所にコンクリート製の基盤２０を構築し、基盤２０の上部に複数の部材３をリブ５が外周側に配置されるように環状に並設し、各部材３の下端をアンカーボルトによって基盤２０の上部に固定し、隣接する部材３、３のリブ５、５間にねじ挿通用の孔６を利用してボルト８を挿通させ、ねじ挿通用の孔６から突出させたボルト８のねじ部にナット９を螺合させて締め付ける。
【００３４】
次に、槽本体２の外周の所定の位置に（下端部、上端部、及び中央部）に締付バンド１２を巻き付け、各締付バンド１２によって槽本体２を縮径する方向に締め付け、この状態で各締付バンド１２の両端部間を固定具１３によって連結し、各締付バンド１２による締付力を槽本体２に付与し、隣接する部材３、３のリブ５、５間を強く圧接し、隣接する部材３、３のリブ５、５間を水密にシールし、隣接する部材３、３からの液体の漏れを防止する。この場合、必要に応じて、隣接する部材３、３のリブ５、５間にシーリング材を介装させる。
【００３５】
次に、槽本体２の底部に防水シート等によって防水処理を施し、槽本体２の底部を水密にシールし、槽本体２の底部からの液体の漏れを防止する。
【００３６】
このようにして、複数の部材３からなる槽本体２と、槽本体２の外周に設けられる締付手段とからなる水槽１が構築され、槽本体２の内部に淡水、海水等の液体を所定量収容することが可能となり、水槽１を魚の養殖用の水槽、集合住宅用の受水槽、防火水槽、緊急備蓄用の水槽、臨時のプール等の各種の用途に適用することが可能となる。
【００３７】
上記のように構成した本実施の形態による水槽及び水槽の構築方法にあっては、槽本体２を複数の部材３によって構成して、組立、分解可能に構成しているので、水槽１の設置場所への搬入、設置場所からの搬出作業を容易に行うことができる。
【００３８】
また、複数の部材３を基盤２０の上部に環状に並設して、隣接する部材３、３のリブ５、５間を連結手段７によって連結することで、基盤２０の上部に筒状の槽本体２を構築することができるので、槽本体２の組立、分解作業を容易に行うことができる。
【００３９】
さらに、複数の部材３をリブ５が外周側に配置されるように環状に並設した上で、隣接する部材３、３のリブ５、５間を連結手段７によって連結しているので、隣接する部材３、３間の連結、分解作業を容易に行うことができる。
【００４０】
さらに、隣接する部材３のリブ５、５間を連結手段７によって連結しているので、隣接する部材３、３のリブ５、５間を強く圧接することができるとともに、槽本体２の内面に作用する水圧によって隣接する部材３のリブ５、５間を更に強く圧接することができるので、隣接する部材３のリブ５、５間を水密にシールすることができ、槽本体２の内部に収容した液体が槽本体２の隣接する部材３、３間から漏れ出るのを確実に防止することができる。
【００４１】
なお、上記の説明においては、槽本体２を筒状に形成した例について説明したが、図２に示すように、槽本体２の下端及び上端に所望の形状の固定リング１６を嵌め込むことで、固定リング１６の形状に合致した形状の槽本体２を構築するようにしてもよい。
【図面の簡単な説明】
【００４２】
【図１】本発明による水槽の一実施の形態の全体を示した斜視図である。
【図２】図１の水槽の槽本体を構成する部材の斜視図である。
【図３】槽本体の隣接する部材間の連結状態を示した説明図である。
【図４】槽本体の変形例を示した斜視図である。
【符号の説明】
【００４３】
１  水槽
２  槽本体
３  部材
４  本体
５  リブ
６  ねじ挿通用の孔
７  連結手段
８  ボルト
９  ナット
１１  締付手段
１２  締付バンド
１３  固定具
１６  固定リング
２０  基盤
【図１】
2009072153.tif 000003
【図２】
2009072153.tif 000004
【図３】
2009072153.tif 000005
【図４】
2009072153.tif 000006